(57)【要約】【課題】  リモコン等の操作手段を用いることなく遠隔制御を行うことが可能なプロジェクター等を提供すること。【解決手段】  プロジェクター１００が、制御装置から第１の画像を示す第１の画像情報が入力される入力部１１０と、画像情報の入力元を示すソース設定内容に関わらず、入力部１１０に入力された第１の画像情報に、操作画像を示す操作画像情報が含まれているかどうかを判定するとともに、操作画像情報に基づき、制御操作が行われたかどうかを判定する判定部１３０と、制御操作に応じた制御を行う制御部１４０を含んで構成される。【選択図】  図２
2011205522.tif 000002
【特許請求の範囲】
【請求項１】
制御装置から第１の画像を示す第１の画像情報が入力される入力部と、
画像情報の入力元を示すソース設定内容に関わらず、前記入力部に入力された前記第１の画像情報に、操作画像を示す操作画像情報が含まれているかどうかを判定するとともに、前記操作画像情報に基づき、制御操作が行われたかどうかを判定する判定部と、
前記制御操作に応じた制御を行う制御部と、
を含むプロジェクター。
【請求項２】
請求項１に記載のプロジェクターにおいて、
前記第１の画像情報に基づき、前記操作画像を含まない前記第１の画像を生成する画像生成部を含むプロジェクター。
【請求項３】
請求項２に記載のプロジェクターにおいて、
前記入力部には、前記ソース設定内容に関わらず、前記第１の画像情報が入力されるとともに、前記ソース設定内容に応じて、画像供給装置から第２の画像を示す第２の画像情報が入力され、
前記操作画像は、画像情報の入力元を指定するためのソース切替操作画像を含み、
前記判定部は、前記制御操作がソース切替操作であるかどうかを判定するとともに、前記ソース切替操作に応じて前記指定として前記第２の画像を生成させるか、前記第１の画像を生成させるかを決定し、
前記画像生成部は、前記指定に応じて、前記第２の画像情報に基づき、前記第２の画像を生成し、あるいは、前記第１の画像情報に基づき、前記操作画像を含まない前記第１の画像を生成する、
プロジェクター。
【請求項４】
請求項１〜３のいずれかに記載のプロジェクターにおいて、
前記判定部は、第１の時点で前記入力部に入力された第１の操作画像情報と、前記第１の時点とは異なる第２の時点で前記入力部に入力された第２の操作画像情報とを比較することにより、前記制御操作が行われたかどうかを判定する、
プロジェクター。
【請求項５】
請求項４に記載のプロジェクターにおいて、
前記操作画像は、それぞれが異なる制御内容を示す複数のボタン画像を含み、
前記判定部は、前記ボタン画像と前記制御内容とが関連付けられた判定用データに基づき、前記制御内容を決定し、
前記制御部は、当該決定に応じて前記制御を行う、
プロジェクター。
【請求項６】
請求項１〜５のいずれかに記載のプロジェクターにおいて、
前記操作画像は、誤判定防止用の識別画像を含み、
前記判定部は、前記第１の画像情報に前記識別画像を示す情報が含まれていない場合、前記操作画像情報が含まれていないと判定し、
前記制御部は、前記判定部によって前記操作画像情報が含まれていないと判定された場合、前記制御を行わない、
プロジェクター。
【請求項７】
制御装置から第１の画像を示す第１の画像情報が入力される入力部を有するプロジェクターにおける制御方法であって、
前記プロジェクターは、
画像情報の入力元を示すソース設定内容に関わらず、前記入力部に入力された前記第１の画像情報に、操作画像を示す操作画像情報が含まれているかどうかを判定し、
前記第１の画像情報に前記操作画像情報が含まれている場合、前記操作画像情報に基づき、制御操作が行われたかどうかを判定し、
前記制御操作に応じた制御を行う、
制御方法。
【発明の詳細な説明】
【技術分野】
【０００１】
本発明は、プロジェクターおよび制御方法に関する。
【背景技術】
【０００２】
ユーザーがプロジェクターを用いて画像を投写する場合、例えば、特開２００９−３３１８号公報等に記載されているように、リモコン（リモートコントローラー）やプロジェクター本体に設けられた操作ボタンを操作して画像の非表示（画像ミュート）等の制御を行う方式（方式１）が一般的である。
【０００３】
また、リモコン等を用いない方式として、特開２００５−１４１１５１号公報に記載されているように、機能設定用のアイコン画像が表示された投写画像を撮像し、撮像画像を用いてユーザーの機能設定操作を判定する方式（方式２）も提案されている。
【先行技術文献】
【特許文献】
【０００４】
【特許文献１】特開２００９−３３１８号公報
【特許文献２】特開２００５−１４１１５１号公報
【発明の概要】
【発明が解決しようとする課題】
【０００５】
しかし、方式２の場合、カメラ等を用いる必要がある上、投写画像にアイコン画像を表示する必要があり、視聴の妨げとなってしまう。また、方式２は、プロジェクターが機能設定情報を生成し、投写画像におけるユーザーの動作を検出する方式であるため、遠隔地からプロジェクターを制御することはできない。
【０００６】
本発明にかかるいくつかの態様は、上記課題を解決することにより、リモコン等の操作手段を用いることなく遠隔制御を行うことが可能なプロジェクターおよび制御方法を提供するものである。
【課題を解決するための手段】
【０００７】
本発明の態様の１つであるプロジェクターは、制御装置から第１の画像を示す第１の画像情報が入力される入力部と、画像情報の入力元を示すソース設定内容に関わらず、前記入力部に入力された前記第１の画像情報に、操作画像を示す操作画像情報が含まれているかどうかを判定するとともに、前記操作画像情報に基づき、制御操作が行われたかどうかを判定する判定部と、前記制御操作に応じた制御を行う制御部と、を含むことを特徴とする。
【０００８】
また、本発明の態様の１つである制御方法は、制御装置から第１の画像を示す第１の画像情報が入力される入力部を有するプロジェクターにおける制御方法であって、前記プロジェクターは、画像情報の入力元を示すソース設定内容に関わらず、前記入力部に入力された前記第１の画像情報に、操作画像を示す操作画像情報が含まれているかどうかを判定し、前記第１の画像情報に前記操作画像情報が含まれている場合、前記操作画像情報に基づき、制御操作が行われたかどうかを判定し、前記制御操作に応じた制御を行うことを特徴とする。
【０００９】
本発明によれば、プロジェクターは、画像情報の入力元の指定に関わらず、制御装置からの第１の画像情報に含まれる操作画像情報に基づく制御を行うことができるため、ユーザーは、リモコン等の操作手段を用いることなく遠隔制御を行うことができる。
【００１０】
また、前記プロジェクターは、前記第１の画像情報に基づき、前記操作画像を含まない前記第１の画像を生成する画像生成部を含んでもよい。これによれば、プロジェクターは、操作画像を含まない画像を生成することにより、ユーザーは、通常の画像の投写を妨げることなく、制御を行うことができる。
【００１１】
また、前記入力部には、前記ソース設定内容に関わらず、前記第１の画像情報が入力されるとともに、前記ソース設定内容に応じて、画像供給装置から第２の画像を示す第２の画像情報が入力され、前記操作画像は、画像情報の入力元を指定するためのソース切替操作画像を含み、前記判定部は、前記制御操作がソース切替操作であるかどうかを判定するとともに、前記ソース切替操作に応じて前記指定として前記第２の画像を生成させるか、前記第１の画像を生成させるかを決定し、前記画像生成部は、前記指定に応じて、前記第２の画像情報に基づき、前記第２の画像を生成し、あるいは、前記第１の画像情報に基づき、前記操作画像を含まない前記第１の画像を生成してもよい。これによれば、プロジェクターは、ソース切替操作に応じた画像を生成することができる。また、これにより、プロジェクターは、画像供給装置が画像情報の入力元として指定されている場合であっても、画像供給装置からの画像情報に基づく画像を生成しつつ、制御装置からの画像情報に基づく制御を行うことができる。
【００１２】
また、前記判定部は、第１の時点で前記入力部に入力された第１の操作画像情報と、前記第１の時点とは異なる第２の時点で前記入力部に入力された第２の操作画像情報とを比較することにより、前記制御操作が行われたかどうかを判定してもよい。これによれば、プロジェクターは、操作画像の変化に応じて制御操作が行われたかどうかを判定することができ、ユーザーは、操作画像を変化させることによって所望の制御を行うことができる。
【００１３】
また、前記操作画像は、それぞれが異なる制御内容を示す複数のボタン画像を含み、前記判定部は、前記ボタン画像と前記制御内容とが関連付けられた判定用データに基づき、前記制御内容を決定し、前記制御部は、当該決定に応じて前記制御を行ってもよい。これによれば、プロジェクターは、判定用データを用いることにより、多様な制御を行うことができる。
【００１４】
また、前記操作画像は、誤判定防止用の識別画像を含み、前記判定部は、前記第１の画像情報に前記識別画像を示す情報が含まれていない場合、前記操作画像情報が含まれていないと判定し、前記制御部は、前記判定部によって前記操作画像情報が含まれていないと判定された場合、前記制御を行わなくてもよい。これによれば、プロジェクターは、操作画像の一部が別の画像によって隠れている状態等における誤判定を防止することができる。
【図面の簡単な説明】
【００１５】
【図１】第１の実施例における投写システムの一例を示す図である。
【図２】第１の実施例におけるプロジェクターの機能ブロック図である。
【図３】第１の実施例における画像の投写手順を示すフローチャートである。
【図４】第１の実施例におけるＰＣの画像の一例を示す図である。
【図５】第１の実施例におけるＰＣの画像の他の一例を示す図である。
【図６】第１の実施例におけるＤＶＤプレーヤーの画像の一例を示す図である。
【図７】第２の実施例におけるプロジェクターの機能ブロック図である。
【図８】第２の実施例におけるＰＣの画像の投写手順を示すフローチャートである。
【図９】第２の実施例におけるＰＣの画像の一例を示す図である。
【発明を実施するための形態】
【００１６】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における投写システムの一例を示す図である。投写システムは、制御装置の一種であるＰＣ２００と、画像供給装置の一種であるＤＶＤプレ−ヤー３００と、プロジェクター１００を含んで構成されている。プロジェクター１００は、Ｄ−Ｓｕｂ端子を介してＰＣ２００から第１の画像を示す第１の画像情報が入力され、ＨＤＭＩ端子を介してＤＶＤプレ−ヤー３００から第２の画像を示す第２の画像情報が入力される。
【００１８】
プロジェクター１００は、ソース切替操作等による指示に応じて第１の画像または第２の画像を投写する。本実施例では、第１の画像情報に制御用の複数のボタン画像を含む操作画像を示す操作画像情報が含まれ、プロジェクター１００は、操作画像情報の変化に応じてソース切替等の制御を行う機能を有している。
【００１９】
次に、このような機能を有するプロジェクター１００の機能ブロックについて説明する。図２は、第１の実施例におけるプロジェクター１００の機能ブロック図である。プロジェクター１００は、画像情報の入力元の指定に関わらず、制御装置から第１の画像を示す第１の画像情報が入力され、指定に応じて画像供給装置から第２の画像を示す第２の画像情報が入力される入力部１１０と、データを記憶する記憶部１２０と、画像情報の変化の判定を行う判定部１３０と、制御操作に応じた制御を行う制御部１４０と、画像を生成する画像生成部１５０と、画像生成部１５０によって生成された画像をスクリーン等に投写する投写部１９０を含んで構成されている。また、記憶部１２０は、操作画像におけるボタン画像と制御内容とが関連付けられた判定用データ１２２、ＤＶＤプレ−ヤー３００からの画像情報である第２の画像情報１２６、ＰＣ２００からの画像情報である第１の画像情報１２４等を記憶している。
【００２０】
なお、プロジェクター１００は、以下のハードウェアを用いてこれらの各部として機能してもよい。例えば、プロジェクター１００は、入力部１１０はＨＤＭＩ端子、Ｄ−Ｓｕｂ端子、コンバーター等、記憶部１２０はＲＡＭ等、判定部１３０、制御部１４０はＣＰＵ等、画像生成部１５０は画像処理回路等、投写部１９０はランプ、液晶パネル、液晶駆動回路、レンズ等を用いてもよい。
【００２１】
次に、本実施例における画像の投写手順について説明する。図３は、第１の実施例における画像の投写手順を示すフローチャートである。ＰＣ２００は、ＰＣ２００の画面にアプリケーション画像等を表示し、ユーザーの指示に応じて操作画像を表示する。
【００２２】
図４は、第１の実施例におけるＰＣの画像４００の一例を示す図である。また、図５は、第１の実施例におけるＰＣの画像４０１の他の一例を示す図である。操作画像５００の表示指示が行われた画像４００は、アプリケーション画像４１０と操作画像５００を含む。操作画像５００は、左上に「Ｓ」を示す識別画像５２０が配置され、右下に「Ｅ」を示す識別画像５２１が配置され、ソース（画像情報の入力元）をＰＣ２００に切り替えるためのボタン画像５１０、ソースをＤＶＤプレ−ヤー３００に切り替えるためのボタン画像５１１、画像のミュートを行う（一時的に非表示にする）ためのボタン画像５１２を含む。また、操作画像５００は、例えば、ＯＳＤ（On Screen Display）画像等であってもよい。
【００２３】
例えば、ユーザーは、マウスポインターをボタン画像５１１の位置に移動させ、マウスを用いてボタン画像５１１をクリックする。これにより、ボタン画像５１１の色が変化した操作画像５０１を含む画像４０１が表示される。
【００２４】
ＰＣ２００は、プロジェクター１００と接続されている間、画像（第１の画像）４００、４０１を示す第１の画像情報１２４をプロジェクター１００に出力する。入力部１１０は、ＰＣ２００からの第１の画像情報１２４が入力され、記憶部１２０に記憶する（ステップＳ１）。
【００２５】
判定部１３０は、第１の画像情報１２４に識別画像５２０、５２１を示す識別画像情報が含まれているかどうかを判定する（ステップＳ２）。識別画像５２０、５２１が含まれている場合、判定部１３０は、ｔ時点の第１の画像情報１２４とｔ＋１時点（例えば、ｔ時点よりも１フレーム後）の第１の画像情報１２４を比較する（ステップＳ３）。
【００２６】
これにより、判定部１３０は、操作画像５００、５０１の変化があったかどうかを判定する（ステップＳ４）。例えば、図４の操作画像５００と図５の操作画像５０１が比較された場合、ボタン画像５１１に変化があったことが決定される。
【００２７】
操作画像５００、５０１の変化があった場合、判定部１３０は、判定用データ１２２を参照し、変化があったボタン画像５１１に対応する制御内容を決定する（ステップＳ５）。例えば、ボタン画像５１１に変化があった場合、制御内容はＨＤＭＩ端子にソース切替する制御である。また、例えば、ボタン画像５１２に変化があった場合、制御内容はミュートを有効にする制御であり、ボタン画像５１２が元に戻った場合、制御内容はミュートを無効にする制御である。制御部１４０は、決定された制御がソース切替に関する制御であるかどうかを判定し（ステップＳ６）、ソース切替に関する制御である場合、ソース切替制御を行う（ステップＳ７）。一方、ソース切替に関する制御でない場合、制御部１４０は、ミュート制御を行う（ステップＳ８）。
【００２８】
判定部１３０は、現在のソースがＨＤＭＩ端子であるかどうかを判定する（ステップＳ７）。現在のソースがＨＤＭＩ端子である場合、画像生成部１５０は、ＤＶＤプレ−ヤー３００から入力される第２の画像情報１２６に基づき、画像を生成し、投写部１９０は、当該画像を投写する（ステップＳ８）。
【００２９】
図６は、第１の実施例におけるＤＶＤプレーヤーの画像６００の一例を示す図である。例えば、画像６００は、風景等を示す画像である。画像生成部１５０は、第２の画像情報１２６に基づき、操作画像５００、５０１等を含まない第２の画像である画像６００を生成し、投写部１９０は、画像６００を投写する。
【００３０】
一方、現在のソースがＨＤＭＩ端子でない場合、すなわち、ソースがＤ−Ｓｕｂ端子である場合、画像生成部１５０は、ＰＣ２００から入力される第１の画像情報１２４に基づき、画像４００、４０１を生成し、投写部１９０は、当該画像４００、４０１を投写する（ステップＳ９）。
【００３１】
プロジェクター１００は、終了指示があったかどうかを判定し（ステップＳ１０）、終了指示があるまで上述した、第１の画像情報に基づく一連の処理（ステップＳ１〜Ｓ１０）を繰り返し実行する。
【００３２】
以上のように、本実施例によれば、プロジェクター１００は、画像情報の入力元の指定等に関わらず、ＰＣ２００からの第１の画像情報１２４に含まれる操作画像情報に基づく制御を行うことができるため、ユーザーは、リモコン等の操作手段を用いることなく遠隔制御を行うことができる。
【００３３】
また、本実施例によれば、プロジェクター１００は、ソース切替操作に応じた画像を生成することができる。また、これにより、プロジェクター１００は、ＤＶＤプレ−ヤー３００が画像情報の入力元として指定されている場合であっても、ＤＶＤプレ−ヤー３００からの画像情報に基づく画像を生成しつつ、ＰＣ２００からの画像情報に基づく制御を行うことができる。
【００３４】
また、本実施例によれば、プロジェクター１００は、操作画像５００、５０１の変化に応じて制御操作が行われたかどうかを判定することができ、ユーザーは、操作画像５００、５０１を変化させることによって所望の制御を行うことができる。また、本実施例によれば、プロジェクター１００は、判定用データ１２２を用いることにより、多様な制御を行うことができる。
【００３５】
また、操作画像５００、５０１は、誤判定防止用の識別画像５２０、５２１を含み、判定部１３０が第１の画像情報１２４に識別画像５２０、５２１を示す情報が含まれていない場合、操作画像情報が含まれていないと判定し、この場合、制御部１４０が制御を行わないことにより、操作画像５２０、５２１の一部が別の画像によって隠れている状態等における誤判定を防止することができる。
【００３６】
（第２の実施例）
第１の実施例では、プロジェクター１００は、ＰＣ２００からの画像情報に基づく第１の画像を投写する場合、操作画像５００、５０１を含む画像４００、４０１を投写しているが、操作画像５００、５０１が第１の画像に含まれている場合であっても、操作画像５００、５０１を含まない画像を投写してもよい。
【００３７】
図７は、第２の実施例におけるプロジェクター１０１の機能ブロック図である。プロジェクター１０１は、プロジェクター１００と同様であるが、画像生成部１５１が判定部１３１の判定に応じて投写用画像データ１２８を生成し、記憶部１２１に記憶する点でプロジェクター１００と異なっている。
【００３８】
次に、本実施例における画像のＰＣ２００の画像の投写手順について説明する。図８は、第２の実施例におけるＰＣの画像の投写手順を示すフローチャートである。例えば、上述したステップＳ９の処理に代え、本実施例では以下の処理が実行される。
【００３９】
ソースがＤ−Ｓｕｂ端子である場合、すなわち、プロジェクター１０１がＰＣ２００からの第１の画像を投写する場合、判定部１３１は、識別画像５２０、５２１で囲まれた領域を示す領域情報を画像生成部１５１に出力する（ステップＳ１１）。
【００４０】
画像生成部１５１は、当該領域情報、第１の画像情報１２４に基づき、投写用画像データ１２８を生成し、記憶部１２１に記憶し（ステップＳ１２）、投写用画像データ１２８に基づき、画像を生成し、投写部１９０は、当該画像を投写する（ステップＳ１３）。
【００４１】
図９は、第２の実施例におけるＰＣの画像４０２の一例を示す図である。画像４０２は、アプリケーション画像４１０を含み、操作画像５００、５０１を含まない画像である。例えば、画像生成部１５１は、領域情報で示される領域に隣接する画素のＲＧＢ値（第１の画像情報１２４で示される値）を用いて当該領域を埋めることによって投写用画像データ１２８を生成することが可能である。これにより、画像生成部１５１は、操作画像５００、５０１を含まない画像４０２を生成することができ、投写部１９０は、画像４０２を投写することができる。
【００４２】
以上のように、本実施例によっても、プロジェクター１０１は、第１の実施例と同様の作用効果を奏する。また、本実施例によれば、プロジェクター１００は、操作画像５００、５０１を含まない画像４０２を生成することにより、ユーザーは、アプリケーション画像４１０等の通常の画像の投写を妨げることなく、制御を行うことができる。
【００４３】
（その他の実施例）
なお、本発明の適用は上述した実施例に限定されず、種々の変形が可能である。例えば、識別画像５２０、５２１は上述した例に限定されない。例えば、識別画像はタイトルバーのように横長の１つの画像であってもよい。また、判定部１３０、１３１は、第１の画像情報１２４にボタン画像５１０〜５１２の少なくとも１つを示す画像情報が存在しない場合に制御を行わないことを決定してもよい。
【００４４】
また、制御内容は、ソース切り替え、画像のミュートに限定されず、例えば、音声のミュート、プロジェクター１００、１０１の電源のオフ、動画像の再生一時停止、動画像の再生一時停止の解除等であってもよい。
【００４５】
また、ボタン画像５１０〜５１２の変化は、色の変化に限定されず、例えば、形状の変化、模様の変化、位置の変化等であってもよい。
【００４６】
また、制御装置は、ＰＣ２００に限定されず、例えば、携帯電話、携帯情報端末等の画像情報と制御情報を出力可能な種々の装置を適用可能である。また、画像供給装置は、ＤＶＤプレーヤー３００に限定されず、例えば、ＰＣ、フォトストレージ等の画像情報を出力可能な種々の装置を適用可能である。
【００４７】
また、プロジェクター１００、１０１の有するコンピューターは、情報記憶媒体に記憶されたプログラムを読み取って制御部１４０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４８】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりにＬＥＤ等の固体光源を含んでもよい。また、プロジェクター１００、１０１の機能を複数の装置（例えば、ＰＣとプロジェクター等）に分散してもよい。
【符号の説明】
【００４９】
１００、１０１  プロジェクター、１１０  入力部、１２０  記憶部、１２２  判定用データ、１２４  第１の画像情報、１２６  第２の画像情報、１２８  投写用画像データ、１３０、１３１  判定部、１４０  制御部、１５０、１５１  画像生成部、１９０  投写部、２００  ＰＣ（制御装置）、３００  ＤＶＤプレ−ヤー（画像供給装置）、４００〜４０２  画像（第１の画像）、４１０  アプリケーション画像、５００、５０１  操作画像、５１０〜５１２  ボタン画像、５２０、５２１  識別画像、６００  画像（第２の画像）
【図２】
2011205522.tif 000003
【図３】
2011205522.tif 000004
【図６】
2011205522.tif 000005
【図７】
2011205522.tif 000006
【図８】
2011205522.tif 000007
【図１】
2011205522.tif 000008
【図４】
2011205522.tif 000009
【図５】
2011205522.tif 000010
【図９】
2011205522.tif 000011